(57)【要約】【課題】火炎に晒されても扉枠と表面材との間に隙間が生じ難い建具を提供する。【解決手段】開口を形成する開口枠と、互いに対向する金属製の一対の表面材、及び、  前記一対の表面材の間に設けられ金属製の扉枠、を有し前記開口を開閉可能に前記開口枠に支持される扉体と、を備え、前記一対の表面材は各々、縁部が裏面側に折り返されて互いに他の前記表面材側に向く折返面を形成する折返縁部を有し、前記扉枠は、前記折返縁部が、当該扉枠の内側に挿入される挿入部を備え、前記一対の表面材が各々有する前記折返縁部のうちの少なくともいずれか一方の前記折返縁部は、前記折返面に加熱されて発泡する加熱発泡材が設けられている。【選択図】図５
2017031685.tif 000002
【特許請求の範囲】
【請求項１】
開口を形成する開口枠と、
互いに対向する金属製の一対の表面材、及び、
前記一対の表面材の間に設けられ金属製の扉枠、を有し前記開口を開閉可能に前記開口枠に支持される扉体と、
を備え、
前記一対の表面材は各々、縁部が裏面側に折り返されて互いに他の前記表面材側に向く折返面を形成する折返縁部を有し、
前記扉枠は、前記折返縁部が、当該扉枠の内側に挿入される挿入部を備え、
前記一対の表面材が各々有する前記折返縁部のうちの少なくともいずれか一方の前記折返縁部は、前記折返面に加熱されて発泡する加熱発泡材が設けられていることを特徴とする建具。
【請求項２】
請求項１に記載の建具であって、
前記扉体を施錠する錠を備え、
前記挿入部は、前記錠が装着される孔であることを特徴とする建具。
【請求項３】
請求項２に記載の建具であって、
前記一対の表面材が各々有する前記折返面の間に、前記錠が配置されていることを特徴とする建具。
【請求項４】
請求項１乃至請求項３のいずれかに記載の建具であって、
前記加熱発泡材は、各々の前記表面材の前記折返面にそれぞれ設けられていることを特徴とする建具。
【発明の詳細な説明】
【技術分野】
【０００１】
本発明は、一対の表面材の間に扉枠が設けられた扉体を有する建具に関する。
【背景技術】
【０００２】
一対の表面材の間に扉枠が設けられた扉体としては、例えば、内外両面のドアパネルを断面コ字形の補強材を介して接合して成る金属製のドアが知られており（例えば、特許文献１参照）、蝶番により開閉可能に支持される。このドアは、補強材に、その長さ方向に沿ってスリットが形成されており、コ字形に折曲げられた各ドアパネルの端部に形成された突起がスリットに嵌合されている。
【先行技術文献】
【特許文献】
【０００３】
【特許文献１】実開昭６１−８２８３号公報
【発明の概要】
【発明が解決しようとする課題】
【０００４】
上記のような金属製のドアは、各ドアパネルのような表面材の端部に形成された突起が、補強材のような扉枠に形成されたスリットに嵌合されているだけなので、例えば、ドアが火炎に晒されて各表面材に反り等の変形が生じると、表面材のコ字形に折曲げられた端部が、折曲げられていた角度より広く広がるとともに突起がスリット抜け出ることにより、扉枠と表面材との間に隙間が生じ、生じた隙間から火炎がドア内部に侵入する虞があるという課題がある。
【０００５】
本発明は、かかる課題に鑑みてなされたものであり、その目的とするところは、火炎に晒されても扉枠と表面材との間に隙間が生じ難い扉体を備えた建具を提供することにある。
【課題を解決するための手段】
【０００６】
かかる目的を達成するために本発明の建具は、開口を形成する開口枠と、互いに対向する金属製の一対の表面材、及び、前記一対の表面材の間に設けられ金属製の扉枠、を有し前記開口を開閉可能に前記開口枠に支持される扉体と、を備え、前記一対の表面材は各々、縁部が裏面側に折り返されて互いに他の前記表面材側に向く折返面を形成する折返縁部を有し、前記扉枠は、前記折返縁部が、当該扉枠の内側に挿入される挿入部を備え、前記一対の表面材が各々有する前記折返縁部のうちの少なくともいずれか一方の前記折返縁部は、前記折返面に加熱されて発泡する加熱発泡材が設けられているである。
【０００７】
このような建具によれば、一対の表面材の縁部に設けられ互いに折り返されて挿入部内に挿入された折返縁部の少なくともいずれか一方の折返面には、加熱されて発泡する加熱発泡材が設けられているので、防火戸が火炎に晒されて加熱されると、他の表面材側に向く折返面に設けられた加熱発泡材が他の表面材側に膨出するので、発泡した加熱発泡材により各々の折返縁部が互いの間隔が広がる方向に押圧される。このため、たとえ一対の表面材に反り等の変形が生じたとしても、折り返された角度より広がるように曲げ戻されることが抑制されるので、火炎に晒されても扉枠と各々の表面材との間に隙間が生じ難い防火戸を提供することが可能である。
【０００８】
かかる建具であって、前記扉体を施錠する錠を備え、前記挿入部は、前記錠が装着される孔であることが望ましい。
このような建具によれば、折返縁部を挿入するためだけに扉枠に挿入部を別途設ける必要がない。
【０００９】
かかる建具であって、前記一対の表面材が各々有する前記折返面の間に、前記錠が配置されていることが望ましい。
このような建具によれば、加熱された加熱発泡材は、錠が配置されてより狭くなった、折返縁部と錠との間にて発泡する。このため、発泡した加熱発泡材の、折返縁部に対する押圧力がより大きくなり、扉枠と各表面材との間に隙間がより生じ難い防火戸を提供することが可能である。
【００１０】
かかる建具であって、前記加熱発泡材は、各々の前記表面材の前記折返面にそれぞれ設けられていることが望ましい。
このような建具によれば、互いに他の表面材側に向く折返面に各々加熱発泡材が設けられているので、各々の側にてそれぞれ発泡した加熱発泡材により折返縁部に作用する押圧力がより大きくなる。このため、扉枠と各表面材との間に隙間がさらに生じ難い防火戸を提供することが可能である。
【発明の効果】
【００１１】
本発明によれば、火炎に晒されても扉枠と表面材との間に隙間が生じ難い扉体を備えた建具を提供することが可能である。
【図面の簡単な説明】
【００１２】
【図１】本実施形態に係る建具を示す正面図である。
【図２】本実施形態に係る建具が有する玄関扉の構成を説明する斜視図である。
【図３】図２におけるＡ部の拡大図である。
【図４】図２におけるＢ部の拡大図である。
【図５】玄関扉における戸先部の横断面図である。
【発明を実施するための形態】
【００１３】
以下、本発明の一実施形態に係る建具について図面を参照して説明する。
本実施形態においては、建具として、例えば図１〜図５に示すような、屋内外を仕切り防火性を備えた扉体としての玄関扉１ａと、玄関扉１ａにより開閉可能な開口１ｃを形成する開口枠１ｂと、を有する建具１を例に挙げて説明する。
【００１４】
本実施形態の建具１が有する玄関扉１ａは、四周を囲む鋼製の扉枠としての骨材２と、骨材２の屋内側に設けられる金属製の内表面材３と、骨材２の屋外側に設けられる金属製の外表面材４と、骨材２の戸先側に設けられる錠５を備えた錠補強部材６と、骨材２に囲まれた領域であって内表面材３と外表面材４との間に形成される空間に設けられるパネル状の断熱材７と、を有している。ここで、内表面材３と外表面材４とが互いに対向する金属製の一対の表面材に相当する。
【００１５】
図１に示す玄関扉１ａには、幅方向における中央近傍に玄関扉１ａの長手方向、すなわち玄関扉１ａが建物等に取り付けられた状態における上下方向に沿って複層ガラス等を装着可能な中枠部８が備えられているが、中枠部８は必ずしも備えられていなくともよい。
【００１６】
骨材２は、鋼板を断面がコ字状をなすように加工した４本の枠部材を矩形状に接合して形成されている。また、骨材２の、内表面材３と対向する内対向部２ａ及び外表面材４と対向する外対向部２ｂには、各々断熱材として合成樹脂製の板材９がほぼ全長に亘って接着されている。
【００１７】
骨材２の戸先側における玄関扉１ａの外周部、すなわち厚み方向に沿う見込面２ｃには、玄関扉１ａの長手方向における中央近傍に、錠補強部材６の内側に配置される錠５のフランジ部５ｃが見込面２ｃに固定される際に、本体部５ａが挿通される矩形状の孔２ｄが設けられている。ここで孔２ｄが、錠５が装着される孔に相当する。
【００１８】
孔２ｄは、骨材２の見込面２ｃに設けられており、孔２ｄの室内側及び室外側には見込面２ｃが残存せず、内対向部２ａと外対向部２ｂのみが存在している。
【００１９】
錠補強部材６は、内表面材３と対向する内板部６ａと、外表面材４と対向する外板部６ｂと、内板部６ａと外板部６ｂとの戸尻側の縁同士を連結し見込み方向に沿う連結板部６ｃにより形成されている。すなわち錠補強部材６は、連結板部６ｃが底をなすような溝状をなしている。錠５は、フランジ部５ｃが見込面２ｃに固定されて内板部６ａと外板部６ｂとの間に配置されたときに戸先側にデッドボルト５ｂが位置するように配置され、錠補強部材６は、固定部材６ｄにより骨材２にビスやリベットにより固定されている。錠補強部材６が固定された状態で、錠５の本体部５ａが骨材２の内側に配置され錠５のフランジ部５ｃが骨材２より戸先側に突出している。
【００２０】
内表面材３と外表面材４とは、各々中央部に中枠部８に合わせた矩形孔部３ａ、４ａを有しており、各々骨材２に囲まれた空間を覆うように配置されたときに、周縁部が互いに対向する方向に折り曲げられて折曲縁部３ｂ、４ｂをなしており、折曲縁部３ｂ、４ｂは骨材２の見込面２ｃと重なるように形成されている。骨材２の見込面２ｃに重ねられた折曲縁部３ｂ、４ｂはリベットやビス等により骨材２に固定される。このとき、骨材２の、戸先側に孔２ｄが設けられている部位では、見込面２ｃの面積が小さいため内表面材３及び外表面材４の折曲縁部３ｂ、４ｂを骨材２にビスやリベットにより固定することができない。
【００２１】
玄関扉１ａが火炎等に晒されると、内表面材３及び外表面材４に反りが生じ、孔２ｄの近傍にて内表面材３及び外表面材４と骨材２との間に隙間が生じ、生じた隙間から玄関扉１ａ内に火炎が進入するおそれがある。このため、本実施形態の玄関扉１ａでは、孔２ｄが設けられている部位においては、内表面材３及び外表面材４の折曲縁部３ｂ、４ｂの一部に内対向部２ａまたは外対向部２ｂと合成樹脂製の板材９の厚み分より僅かに広く折曲縁部３ｂ、４ｂを残し、その先端側に骨材２に囲まれた領域の内側、すなわち内表面材３及び外表面材４の裏面側に折り返された折返縁部３ｃ、４ｃが設けられている。内表面材３の折返縁部３ｃには、外表面材４側に向く折返面３ｅに、また、外表面材４の折返縁部４ｃには、内表面材３側に向く折返面４ｅにそれぞれ加熱発泡材としての熱膨張性黒鉛１０が設けられている。
【００２２】
玄関扉１ａは、錠補強部材６が取り付けられた骨材２により囲まれた領域にパネル状の断熱材７を備えて、内表面材３及び外表面材４を配置したときには、内表面材３の折返縁部３ｃが孔２ｄに挿入されて骨材２の内対向部２ａと錠補強部材６の内板部６ａとの間に配置され、外表面材４の折返縁部４ｃは孔２ｄに挿入されて外対向部２ｂと錠補強部材６の外板部６ｂとの間に配置される。すなわち、内表面材３及び外表面材４の折返面３ｅ、４ｅに設けられた熱膨張性黒鉛１０は、各々錠補強部材６と対向するように配置される。ここで、孔２ｄが、折返縁部３ｃ、４ｃが挿入される挿入部に相当する。
【００２３】
玄関扉１ａが、火災等により火炎に晒された場合には、内表面材３及び外表面材４の周縁部に設けられ、各々裏面側に折り返されて孔２ｄ内に挿入された折返縁部３ｃ、４ｃの、折返面３ｅ、４ｅに各々設けられている熱膨張性黒鉛１０が錠補強部材６に向かって各々発泡する。このとき、発泡した熱膨張性黒鉛１０により各々の折返縁部３ｃ、４ｃが錠補強部材６から互いに離れる方向に押圧される。このため、たとえ、内表面材３及び外表面材４に、熱により反り等の変形が生じたとしても、折返縁部３ｃ、４ｃが折り返されている角度より広がるように曲げ戻されることが抑制される。
【００２４】
さらに、内表面材３の折返縁部３ｃと内表面材３の屋内に臨む部位３ｄとにより骨材２の内対向部２ａと合成樹脂製の板材９とが挟持され、また、外表面材４の折返縁部４ｃと外表面材４の屋外に臨む部位４ｄとにより骨材２の外対向部２ｂと合成樹脂製の板材９とが挟持される。このため、火炎に晒されても骨材２と内表面材３及び外表面材４との間に隙間が生じ難い玄関扉１ａを提供することが可能である。特に、玄関扉１ａの外周部において、錠５の本体部５ａが挿入されるように骨材２に孔２ｄを形成することにより、内表面材３及び外表面材４の周縁部を骨材２にリベットやビス等により固定することができない部位であっても骨材２と内表面材３及び外表面材４との間に隙間が生じることを防止することが可能である。
【００２５】
また、内表面材３及び外表面材４の折返縁部３ｃ、４ｃは、錠補強部材６の内側に配置される錠５が装着されるべく骨材２に形成された孔２ｄに挿入されるので、折返縁部３ｃ、４ｃを挿入するためだけに骨材２に孔２ｄを別途設ける必要がない。このため、骨材２に対する加工の工数を少なく抑えてより安価な玄関扉１ａを実現することが可能である。
【００２６】
上記実施形態においては、玄関扉１ａを施錠するための錠５の本体部５ａが挿入される孔２ｄが設けられている部位のみに、内表面材３及び外表面材４の折返縁部３ｃ、４ｃを挿入する例について説明したが、これに限るものではない。たとえば、内表面材３及び外表面材４の周縁部における適宜位置に折返縁部３ｃ、４ｃを形成し、この折返縁部３ｃ、４ｃの位置に合わせて骨材２に折返縁部３ｃ、４ｃが挿入される挿入部としてスリット等の空隙を形成して、ビスやリベットを用いない構造としても構わない。
【００２７】
この場合には、内表面材３の折返縁部３ｃと外表面材４の折返縁部４ｃとの間には錠補強部材６は存在しないが、内表面材３の折返面３ｅと外表面材４の折返面４ｅとを互いに対向させて形成し、少なくともいずれか一方の折返面３ｅ、４ｅに熱膨張性黒鉛１０を備えておくと、加熱された熱膨張性黒鉛１０は対向する折返面３ｅ、４ｅ側に向かって発泡するので、発泡した熱膨張性黒鉛１０により内表面材３の折返縁部３ｃと外表面材４の折返縁部４ｃとが互いに離れる方向に押圧される。このため、内表面材３および外表面材４が骨材２から離れることを防止することが可能である。
【００２８】
また、折返縁部３ｃ、４ｃが挿入される挿入部は、孔に限らず、扉枠の外周部に設けられ内周側に窪む凹部であっても構わない。この場合には、玄関扉が加熱されると、凹部に挿入された折返縁部に設けられている加熱発泡材は、凹部を形成する内壁部との間で発泡し、発泡した加熱発泡材により折返縁部が押圧されて曲げ起こされることを防止することが可能である。
【００２９】
上記実施形態においては、内表面材３の折返縁部３ｃが内表面材３とほぼ平行に、また、外表面材４の折返縁部４ｃが外表面材４とほぼ平行に折り返されている例について説明したが、これに限るものではない。たとえば、内表面材３の折返縁部３ｃが内表面材３に対して、また、外表面材４の折返縁部４ｃが外表面材４に対して傾くように折り返されていたとしても、内表面材３の折返面３ｅが外表面材４側に向くように、また外表面材４の折返面４ｅが内表面材３側に向くように形成されていれば構わない。
【００３０】
上記実施形態においては、防火戸を玄関扉１ａとしたが、これに限らず、玄関以外の場所に取り付けられる扉や、引戸など、四周を囲む金属製の扉枠と、金属製の内表面材及び外表面材とを備える防火戸であれば構わない。
上記実施形態においては、加熱発泡材を熱膨張性黒鉛１０としたが、加熱されて膨張する耐火材であれば、熱膨張性黒鉛に限るものではない。
【００３１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３２】
１  建具、１ａ  玄関扉、１ｂ  開口枠、１ｃ  開口、２  骨材、２ｃ  見込面、
２ｄ  孔、３  内表面材、３ｂ  折曲縁部、３ｃ  折返縁部、３ｅ  折返面、
４  外表面材、４ｂ  折曲縁部、４ｃ  折返縁部、４ｅ  折返面、５  錠、
５ｂ  デッドボルト、６  錠補強部材、１０  熱膨張性黒鉛
【図１】
2017031685.tif 000003
【図２】
2017031685.tif 000004
【図３】
2017031685.tif 000005
【図５】
2017031685.tif 000006
【図４】
2017031685.tif 000007